(57)【要約】      （修正有）【課題】安定性と見栄えがよく、しかも構成簡易にして、浄化された水を間欠的に水補給できる実用的花筒水補給装置を提供する。【解決手段】お墓の祭壇２に設置された花筒３に自動的に水を補給する花筒水補給装置であって、花筒に挿通され、祭壇と花筒フランジ部との間で挾持される底板部４と、前記底板部の後端から上方に立上げられた立上り部５と、前記立上り部の背面で逆さ垂直配置の水ボトル６のキャップ７及びボトル側部とを支持するキャップ支持部８及びボトル支持部９とを有し、前記ボトル内部と前記花筒内部とは細径柔軟ホース１０で連通され、前記花筒水位の下降に伴って、前記ボトル内部の水を自動給水することを特徴とする花筒水補給装置。【選択図】図1
0003107565.tif 000002
【実用新案登録請求の範囲】
【請求項１】
お墓の祭壇に設置された花筒に自動的に水を補給する花筒水補給装置であって、
前記花筒に挿通され、前記祭壇と前記花筒フランジ部との間で挾持される底板部と、
前記底板部の後端から上方に立上げられた立上り部と、前記立上り部の背面で逆さ垂直配置の水ボトルのキャップ及びボトル側部とを支持するキャップ支持部及びボトル支持部とを有し、
前記ボトル内部と前記花筒内部とは細径柔軟ホースで連通され、前記花筒水位の下降に伴って、前記ボトル内部の水を自動給水することを特徴とする花筒水補給装置。
【請求項２】
前記花筒内に案内されるホース先端に、水位を定め、かつ水浄化するための銅製オモリを接続したことを特徴とする請求項１記載の花筒水補給装置。
【請求項３】
前記ボトル内には、水浄化のための銅板を収納したことを特徴とする請求項１記載の花筒水補給装置。
【考案の詳細な説明】
【技術分野】
【０００１】
本考案は、お墓の祭壇に設置された花筒に自動的に水を補給する花筒水補給装置に関し、最も簡易な装置にし、花筒に立てた花やシキミを水の世話なしで長期間活かすことができるようにしたものである。
【背景技術】
【０００２】
お墓に設置した花筒に花やシキミを飾り、世話なしで居ると、数日後に萎れ、枯れる。水がなくなるのが主因である。また、雨水が補充されたとしても世話なしでの状態では水が腐り、１０日持たせることが難しい。
【０００３】
特開2000−102330号公報（切り花木の花立て用の給水装置）では、生け花等が水不足で枯れることのないようにするため、逆さに立てた密閉状の貯水ボトルと、貯水ボトルの下端部より並出された給水ホースと、前記ボトルを花立てより高所に支持する支持手段とを具備し、ホースの下端を花立ての水中に配置するようにしている。
【０００４】
しかしながら、この公報中に示される支持手段は、その図１に示されるように、脚１１付の支持柱を有し、支柱上端に備えた支軸１５に引掛片３を介して貯水ボトルを吊下げる形であるため、不安定で強風等によって倒れる恐れがある。また支柱の背が高く、花立ての側方に設置されるような構成であるため目立ち、図８に示されるような見栄えにてお墓らしさが損なわれてしまう等の問題点があった。つまりは、静止状態にて水を補給することは可能であるが、実用上の問題点がある。祭壇部分は狭く、見栄えの問題上からも支柱の脚１１を重く、又は広く取ることができないのである。
【０００５】
支持手段の構成例としては、特開2002−262678号公報（自動給水器）や、実用新案登録第3022773号公報（花器への自動給水装置）が参考となる。特開2002−262678号公報の自動給水器では、円板状のスタンド部に支柱部を立設した形態が示されているが、この形態は植物、動物のペット等に水などの液体を供給するのは可能としても、やはりお墓の祭壇上に設置するには不安定で利用し難い。実用新案登録第3022773号公報の自動給水装置では、螺旋状の装架台の中に逆さ姿勢の貯水容器を支持する例等が示されているが、これもお墓の祭壇には利用し難い。
【０００６】
特開2003−259953号公報（自動給水式の墓用花立）は、花の回動防止をすると共に給水をも行う墓用花立が示されている。これは、祭壇上に立設される石製花立て（石柱）に固定されるカバー５を有し、このカバー５の後端部より壁部１８、２０、２１を立ち上げ、その上部に備えたステー３０に対して小さな給水タンク２５を配置した構造となっている。これによれば、カバー５が確実に石柱に固定されているので給水タンク２５は安定し、風等によって倒れたりする問題はない。また、水タンク２５は板状に形成された花回動防止部の背面に位置するので、見栄えも問題なく、実用可能となる。ただし、この花立ては、花立てとしての特別の設計であり、花回動防止用の大きな板材を有し、定形サイズの石柱にしか利用できず、一般的な花筒には適用できない。
【特許文献１】特開2000‐102330号公報、第１頁、図１
【特許文献２】特開2002‐262678号公報、第１頁、図１
【特許文献３】実用新案登録公報第322773号公報、第１頁、図１
【特許文献４】特開2003‐259953号公報、第１頁、図１
【考案の開示】
【考案が解決しようとする課題】
【０００７】
本考案は、花筒を備えたお墓にあって、安定性と見栄えがよく、しかも構成簡易にして、浄化した水を間欠的に補給できる花筒水補給装置を提供することを目的とする。
【課題を解決するための手段】
【０００８】
上記課題を解決することができる本考案の花筒水補給装置は、お墓の祭壇に設置された花筒に自動的に水を補給する花筒水補給装置であって、前記花筒に挿通され、前記祭壇と前記花筒フランジ部との間で挾持される底板部と、前記底板部の後端から上方に立上げられた立上り部と、前記立上り部の背面で逆さ垂直配置の水ボトルのキャップ及びボトル側部とを支持するキャップ支持部及びボトル支持部とを有し、前記ボトル内部と前記花筒内部とは細径柔軟ホースで連通され、前記花筒水位の下降に伴って、前記ボトル内部の水を自動給水することを特徴とする。
【０００９】
底板部は、花筒寸法に合わせて丸穴を明けた板材で構成でき、これが祭壇（石材）と花筒フランジ部との間で挾持されるので、見栄えの問題が全くなく、かつ確実に固定できる。台座の役目を為すので、台座の置き場所やスペース取りに困ることもない。
【００１０】
底板部から立ち上げる立上り部の幅や高さは、水ボトル、例えばジュース類のペットボトルの幅や高さと同じか少し低い程度とされるので、一般には、その前方に位置する花やシキミの幅や高さより小とすることができ、前方から見て花やシキミによって隠される関係となり、何ら見栄えに関する問題がなく、違和感も生じない。
【００１１】
前記立上がり部の背面には、水を入れ逆さ垂直配置した水ボトルを上下で支持するキャップ支持部及びボトル支持部を設けている。支持部構成について特に限定はないが、一般には上からボトルを挿す穴形状で良い。ボトル側面を挟み込むアーム部材で構成することもできる。いずれの場合も、全高はボトル高さより十分低く、例えばその半分より少し高い程度の高さにすれば良く、水ボトル寸法に合わせて構成できるので、小さく、見栄えを問題視することなく形成できる。
【００１２】
ボトル内部と花筒内部とを上下に連通する細径柔軟ホースは従来技術で用いられている一般的なホースと同様である。ただし、ホース穴の直径を２〜３mm以上とすることにより、従来技術で示した特開2000−102330号公報の図２に示されるような、エア抜き用の導水線等を用いる必要はない。柔軟細径ホースを用いることにより、従来のものと同様に、水位減少によって水を足すことができる。
【００１３】
前記花筒内に案内されるホース先端には、水位を定め、かつ水浄化するための銅製オモリを接続する。オモリ形状は、板状、棒状等とすることができる。
【００１４】
前記ホースの下端は、自由支持によっては位置決めができない。そこで、この位置決めをするためのオモリを用いる。オモリは、ホース下端を水位位置に固定するよう下に引く形のものと、下端を底に付けた板上端に設けた穴に案内する等で構成することができる。
【００１５】
前記オモリの材質を銅とすることにより、花筒内の水を浄化でき、水が腐り、ひいては花やシキミの根元が腐るのを防止でき、花やシキミの寿命を伸ばすことができる。一般に銅なしでは４、５日で水が腐るが、銅を用いることによって1ヶ月もの長期間水の腐りを防止できる。この銅の作用については一般の花立てと同様であるが、本考案では、これを水補給装置に適用し、かつオモリ機能を併合させたことに特徴がある。即ち少ない材料にしてオモリに水腐れ防止機能を持たせることができた。
【００１６】
前記ボトル内には、水浄化のための銅板を収納したことを特徴とする。水ボトルは、一般にペットボトルを利用する。ペットボトルは光を透過し、長期使用によってその内部に石蓴が発生する。この石蓴は微生物の住居であって水の腐れを促進してしまう。本考案では補給水側でも水の浄化をし、浄化された水を花筒内に補給するので、花やシキミの長寿命化を図ることができる。
【考案の効果】
【００１７】
本考案の花筒水補給装置によれば、実用新案請求の範囲に記載の通りの構成であるので、台座配置のスペースが不要で、かつ安定性が良く、風や小動物が触れること等によって倒れる心配がない。しかも支持部が花やシキミの後に隠れる構造であるので見栄えに対し何らの違和感がない。安価に製造できて実用性が有る。
【００１８】
花筒内に銅製板状オモリを配置するので、ホース下端の位置決めを正確にでき、水位を常時一定に保つことができる。しかも銅を用いるので、花筒内の水を浄化でき、花やシキミの長寿命化を図ることができる。
【００１９】
さらに水ボトル内に銅板を収納すれば、光透過のペットボトルであっても石蓴が発生せず、補給水を常時衛生的に保つことができる。
【考案を実施するための最良の形態】
【００２０】
以下添付図面に基いて本考案を実施するための最適の形態を説明する。図１は、本考案の花筒水補給装置の全体構成を示す側面図、図２は、図１のＦ２−Ｆ２線に沿った要部を示す背面図、図３はボトル支持部の平面図、図４はキャップ支持部の平面図、図５は底板部の平面図を示す。
【００２１】
図示のように、本考案の花筒水補給装置は、石材作りのお墓１の祭壇２に設置された花筒３に自動的に水を補給する花筒水補給装置であって、前記花筒３に挿通され、前記祭壇２と前記花筒３のフランジ部３Ｆとの間で挾持される底板部４と、前記底板部４の後端から上方に立上げられた立上り部５と、前記立上り部５の背面で逆さ垂直配置の水ボトル６のキャップ７及びボトル６の側部とを支持するキャップ支持部８及びボトル支持部９とを有し、前記ボトル６の内部と前記花筒３の内部とは細径柔軟ホース１０で連通され、前記花筒３の水位Ｌｅの下降に伴って、前記ボトル６の内部の水１１を自動給水することを特徴とする。
【００２２】
前記花筒３内に案内されるホース１０の先端には、水位Ｌｅを定め、かつ水浄化するための銅製板状オモリ１２を接続している。
【００２３】
また、前記ボトル３内には、水浄化のための銅板１３を収納している。
【００２４】
底板部４、立上り部５、支持部８、９は、共に薄いステンレス鋼板を曲げ、溶接して作る。実用性から錆びぬこと、見栄えにおいて格調が高いことも必要であり、メッキ鋼板や樹脂板も利用可能ではあるが、ステンレスとするのが好適である。
【００２５】
前記花筒３は、祭壇２に穿設された孔部２Ｈ内に嵌装される。底板部４には花筒３を挿通可能の穴４ａ（図５参照）が設けられている。立上り部５は、板材で構成され、その中央部分には縦長の開口部５ａが設けられ、前記ホース１０は、この開口部５ａを介して前後に通り抜け可能となっている。底板部４に対する立上り部５の傾斜角θは鋭角とする。水ボトルの安定支持を行うと共に、水ボトル６が墓石部分に触れないようにするためである。具体的には、８５°程度とするのが好ましい。
【００２６】
前記水ボトル６のキャップ７は、通常のペットボトルのキャップに穴を明け、この穴にホース１０の上端を挿通固定した形である。
【００２７】
ホース１０の長さは、これを軽く下に引いたとき、その下端が水位Ｌｅに相当する長さとする。これにより、途中の曲がりがなくなるのでエアー溜りが生ずることなく、直径２〜５mm程度の細径であっても給水機能を果すことができる。
【００２８】
図７に示すように、銅製板状オモリ１２は、上端を曲げて曲げ部１２ａを形成し、この曲げ部１２ａの中央に前記ホース１０の外径に合わせた小さ目の穴１２ｂを明けている。従って、ここにホース１０の下端を挿し込んで固定し、花筒３内に投入することにより、図１に示した状態にて水位Ｌｅを定めることができる。
【００２９】
図６に示すように、水ボトル６内に収納する銅板１０の下端には、前記キャップ７に差し込んだホース１０の口径に合わせた寸法の半円弧１０ａを切り欠いている。従って、給水時、銅板１３の下端で細径ホース１０の口を塞いで給水機能を阻害することがない。
【００３０】
以上の構成による花筒水補給装置において、花筒３に底板部４を挿通して本体金具部分４、５、（８、９）を位置決め固定し、これに水を入れた水ボトル６にキャップ７をし、支持部８、９を介して逆さ垂直姿勢で支持することができる。ボトル６全体はボトル支持部９に設けた穴９ａを通り、キャップ７はキャップ９、支持部８に設けた穴８ａを通るので、ボトル６の支持部口のくびれ部分がキャップ支持部８の穴８ａに当り、ボトル６の側面が横倒しにならない形でボトル支持部９の穴９ａ内で固定される。水ボトル６内には銅板１３を収納しておく。
【００３１】
次いで、ホース１０の下端に銅製板状オモリ１２を接続し、これを花筒３内に落とし込む。これにより、水位Ｌｅにホース１０の下端が開口する形でセットされる。
【００３２】
花筒３内には、花やシキミ１４が立てられる。これにより、図１に示した通りの装置設定が完成する。図より理解されるように、装置全体が前方（図右方）より見て完全に隠れた状態となり、見栄えが大変に良い。何らの違和感も生じない。しかも、安定性が良好で、装置が倒れる心配が無い。加えて、特開2003−259953で示された回動防止の機能までが実現され、花やシキミが倒れるのまでを防止し得る。
【００３３】
平成１６年７月２４日からシキミを用いて考案者が行った実施例を示す。本体の最大幅１１．５cm、水ボトル支持部の穴径９cm、全高１９．４cmの寸法にて装置構成した。見栄えに関しては上述の通り極めて良好である。比較例としての通常花筒では、２〜３日目から一部水が切れて萎れ出し、３日目に葉が落ち始めたのに対し、本考案のものは１週間後においても何ら変化がなく、シキミが活気づいていた。水も浄化されて何ら変化がない。実験は繰り返し続行中である。水ボトル６への補給のタイミングは季節や天候によって異なるが、夏場の快晴において、１０日前後毎に行えば良い。シキミの場合、1ヶ月位保証できる。
【００３４】
本考案は、上記実施形態に限定されるものではなく、本考案の要旨を逸脱しない範囲で各種変形して実施することができ、各種態様で実施可能である。
【図面の簡単な説明】
【００３５】
【図１】本考案の花筒水補給装置の全体構成を示す側面図である。
【図２】図１のＦ２−Ｆ２線に沿った要部を示す背面図である。
【図３】ボトル支持部の平面図である。
【図４】キャップ支持部の平面図である。
【図５】底板部の平面図である。
【図６】銅板の正面図（ａ）及びその側面図（ｂ）である。
【図７】銅製板状オモリの正面図（ａ）及びその側面図（ｂ）である。
【符号の説明】
【００３６】
１  石材作りのお墓
２  お墓の祭壇
２Ｈ  花筒を挿すための孔部
３  花筒
４  底板部
４ａ  底板部に設けた穴
５  立上り部
５ａ  開口部
６  水ボトル
７  キャップ
８  キャップ支持部
８ａ  キャップ支持部に設けた穴
９  ボトル支持部
９ａ  ボトル支持部の穴
１０  細径柔軟ホース
１１  水
１２  銅製板状オモリ
１２ａ  オモリの曲げ部
１２ｂ  オモリに明けた穴
１３  銅板
１４  花やシキミ
Ｌｅ  水位
【図１】
0003107565.tif 000003
【図２】
0003107565.tif 000004
【図３】
0003107565.tif 000005
【図４】
0003107565.tif 000006
【図５】
0003107565.tif 000007
【図６】
0003107565.tif 000008
【図７】
0003107565.tif 000009